(57)【要約】【課題】カバーの脱落を防止できる照明装置を提供する。【解決手段】照明装置10は、ユニット本体21、光源およびカバー23を備える。ユニット本体21は、第１の本体側係止部38および第２の本体側係止部39を有する。光源は、ユニット本体21に配置される。カバー23は、光源を覆ってユニット本体21に取り付けられるカバー部50、第１の本体側係止部38に係止可能とする第１のカバー側係止部53、および第２の本体側係止部39に係止可能とする第２のカバー側係止部56を有する。第１のカバー側係止部53と第１の本体側係止部38の係止状態で、カバー部50をユニット本体21に取り付けるとともに、第２のカバー側係止部56と第２の本体側係止部39を非係止状態に保つ。第２のカバー側係止部56と第２の本体側係止部39は、第１のカバー側係止部53と第１の本体側係止部38の係止が機能しなくなることで、係止状態となる。【選択図】図１
2020202130.tif 000002
【特許請求の範囲】
【請求項１】
第１の本体側係止部および第２の本体側係止部を有する本体と；
前記本体に配置される光源と；
前記光源を覆って前記本体に取り付けられるカバー部、前記第１の本体側係止部に係止可能とする第１のカバー側係止部、および前記第２の本体側係止部に係止可能とする第２のカバー側係止部を有し、前記第１のカバー側係止部と前記第１の本体側係止部の係止状態で、前記カバー部を前記本体に取り付けるとともに、前記第２のカバー側係止部と前記第２の本体側係止部を非係止状態に保つカバーと；
を具備することを特徴とする照明装置。
【請求項２】
前記第２のカバー側係止部と前記第２の本体側係止部は、前記第１のカバー側係止部と前記第１の本体側係止部の係止が機能しなくなることで係止状態となる
ことを特徴とする請求項１記載の照明装置。
【請求項３】
設置部材と；
前記本体に設けられ、前記設置部材に前記本体を取り付ける取付機構と；
を具備し、
前記第２の本体側係止部および前記第２のカバー側係止部は、前記取付機構の位置に対応した前記本体および前記カバーの位置に設けられている
ことを特徴とする請求項１または２記載の照明装置。
【発明の詳細な説明】
【技術分野】
【０００１】
本発明の実施形態は、本体にカバーを係止して取り付ける照明装置に関する。
【背景技術】
【０００２】
従来、光源が配置された本体に、光源を覆うカバーが取り付けられる照明装置では、本体にカバーを係止して取り付ける係止構造を備えているものがある。
【０００３】
このような照明装置では、カバーの荷重や例えば本体とカバーの間にパッキングを挟み込む場合のパッキングによる反発力等によって、係止構造に常に応力が加わっている。このように常に応力が加わっている係止構造は、経年変化によって劣化が生じて係止強度が低下すると、係止機能が損なわれ、カバーが本体から脱落する。
【先行技術文献】
【特許文献】
【０００４】
【特許文献１】特開２０１６−１６２４９３号公報
【発明の概要】
【発明が解決しようとする課題】
【０００５】
本発明は、カバーの脱落を防止できる照明装置を提供することを目的とする。
【課題を解決するための手段】
【０００６】
実施形態の照明装置は、本体、光源およびカバーを備える。本体は、第１の本体側係止部および第２の本体側係止部を有する。光源は、本体に配置される。カバーは、光源を覆って本体に取り付けられるカバー部、第１の本体側係止部に係止可能とする第１のカバー側係止部、および第２の本体側係止部に係止可能とする第２のカバー側係止部を有する。第１のカバー側係止部と第１の本体側係止部の係止状態で、カバー部を本体に取り付けるとともに、第２のカバー側係止部と第２の本体側係止部を非係止状態に保つ。
【発明の効果】
【０００７】
実施形態の照明装置によれば、カバーの脱落を防止することが期待できる。
【図面の簡単な説明】
【０００８】
【図１】一実施形態を示す照明装置の光源ユニットの第１の本体側係止部と第１のカバー側係止部の係止状態の斜視図である。
【図２】同上光源ユニットの第１の本体側係止部と第１のカバー側係止部の係止状態の断面図である。
【図３】同上光源ユニットの第２の本体側係止部と第２のカバー側係止部の係止状態の斜視図である。
【図４】同上光源ユニットの分解斜視図である。
【図５】同上照明装置の分解斜視図である。
【図６】同上照明装置の組立状態の斜視図である。
【図７】同上照明装置のカバーが下降した状態の斜視図である。
【発明を実施するための形態】
【０００９】
以下、一実施形態を、図面を参照して説明する。
【００１０】
図５および図６に照明装置10を示す。照明装置10は、設置部である天井に設置される直付形照明装置または埋込形照明装置である。
【００１１】
照明装置10は、天井側に設置される本体ユニット11と、この本体ユニット11に着脱可能に取り付けられる光源ユニット12とを備えている。
【００１２】
本体ユニット11は、設置部材としての器具本体15、およびこの器具本体15に取り付けられた反射体である器具枠16を備えている。
【００１３】
器具本体15は、四角形状に形成され、天井面に直付け設置、または、天井面に設けられた開口部に配置されて天井側からの吊ボルトに対して吊下げ設置される。器具本体15には、電源線等の配線を引き込むための配線孔15aや、設置用の複数の取付孔15bが設けられている。器具本体15の下面には、光源ユニット12を取り付けるための一対のばね受金具17、光源ユニット12に点灯電源を供給する電源部18、およびこの電源部18と接続されていて外部からの電源線を接続する端子台19等が取り付けられている。一対のばね受金具17は、器具本体15の一方の対向する２辺に対応してそれら各辺の幅方向中央に配置されている。
【００１４】
器具枠16は、中央に器具本体15に取り付けられる光源ユニット12が挿通可能とする開口部16aを有する四角形枠状に形成されている。器具枠16には、光照射方向である下方に向けて拡開するように反射面16bが形成されている。
【００１５】
次に、図４および図５に光源ユニット12の全体を示し、図１ないし図３に光源ユニット12の一部を示す。光源ユニット12は、四角形状に形成され、器具枠16の開口部16aを通じて器具本体15の下面側に着脱可能に取り付けられる。
【００１６】
光源ユニット12は、本体としてのユニット本体21、このユニット本体21の下面側に配置される光源22、ユニット本体21の下面側に配置されるカバー23、ユニット本体21とカバー23との間に介在されるパッキング24、およびユニット本体21の上面側に取り付けられる一対の取付機構25を備えている。
【００１７】
ユニット本体21は、例えば１枚の金属板にて一体に形成されている。ユニット本体21は、四角形板状のプレート部28、およびこのプレート部28の周辺部に設けられた四角形枠状の枠部29を有している。
【００１８】
プレート部28の下面側に光源22が取り付けられ、上面側に一対の取付機構25が取り付けられている。一対の取付機構25は、プレート部28（ユニット本体21）の一方の対向する２辺の幅方向中央に対応して取り付けられている。
【００１９】
枠部29は、プレート部28の周辺部から立ち上げられた立上げ部30、この立上げ部30の上端から外側方に向けて折曲された縁部31、およびこの縁部31の外端から下方に向けて折曲された側面部32を有している。立上げ部30と縁部31と側面部32との間には、下方に開口する溝部33が形成されている。溝部33内にはパッキング24が配置されている。
【００２０】
枠部29の各辺には、複数の第１の挿通孔34が設けられている。第１の挿通孔34は、縁部31の辺に沿って横長で、縁部31の内周側を除き、縁部31から側面部32の一部に亘って開口されている。第１の挿通孔34に臨む側面部32の上縁には、押え部35が一体に設けられている。押え部35は、ユニット本体21とカバー23との組立前の段階では側面部32に沿って立ち上げられて第１の挿通孔34を開放しており、ユニット本体21とカバー23との組立後に第１の挿通孔34内に入り込んだ傾斜状にかしめられる。なお、本実施形態では、第１の挿通孔34は、枠部29の各辺の縁部31の２箇所に設けられているが、１箇所、または３箇所以上に設けられていてもよく、また、枠部29の４辺のうちの少なくとも２辺に設けられていればよい。
【００２１】
枠部29の各辺には、第２の挿通孔36が設けられている。本実施形態では、第２の挿通孔36は、枠部29の各辺の幅方向中央に設けられている。第２の挿通孔36は、枠部29の側面部32に上下方向に沿って開口されている。第２の挿通孔36の下縁は第２の挿通孔36の下側領域以外の領域での側面部32の下端位置と略同じ位置とされ、側面部32の第２の挿通孔36の下側領域には第２の挿通孔36の下側領域以外の領域よりも下方に突出する突出部37が形成されている。なお、第２の挿通孔36は、枠部29の４辺のうち、いずれか一方の対向する２辺に対応して一対設けられていればよく、この場合、一対の第２の挿通孔36は、一対の取付機構25の位置に対応した枠部29の一方の対向する２辺に設けられることが好ましい。
【００２２】
そして、枠部29の第１の挿通孔34の上縁側である縁部31の上面が第１の本体側係止部38として構成されている。また、第２の挿通孔36の下縁が第２の本体側係止部39として構成されている。第２の本体側係止部39は、第１の本体側係止部38よりも下方に位置されている。
【００２３】
また、光源22は、面状光源である発光モジュール42を備えている。発光モジュール42は、四角形状の基板43、およびこの基板43の一面に実装された図示しない複数の発光素子（半導体発光素子）を備えている。発光素子は、例えばＬＥＤや有機ＥＬ等が含まれる。そして、発光モジュール42は、基板43の他面がユニット本体21の下面に熱的に接続された状態に取り付けられる。発光モジュール42には給電用の図示しないコネクタ付ケーブルが接続されている。このコネクタ付ケーブルは、ユニット本体21に設けられる配線孔を通じて外部に引き出され、電源部18から引き出されているコネクタ付ケーブルとコネクタ接続される。
【００２４】
また、カバー23は、外カバー46と、この外カバー46の内側に配置される内カバー47とを備えている。
【００２５】
外カバー46は、例えば透明な樹脂材料によって一体に形成されている。外カバー46は、光源22に対向する四角形状の前面部48、およびこの前面部48の周囲に設けられた四角形枠状の側面部49を有している。これら前面部48および側面部49によって光源22を覆うカバー部50が構成されている。
【００２６】
前面部48は、平板状で、内面または外面に図示しない複数のレンズが形成されている。レンズは例えば三角柱状や半球状に形成されている。
【００２７】
側面部49は、前面部48の周辺部から上方に立ち上げられており、ユニット本体21との組立時に上端部がユニット本体21の枠部29の溝部33に挿入されるとともにパッキング24に当接される。側面部49の外面の上端近傍には、フランジ部51が突設されている。フランジ部51は、ユニット本体21との組立時に側面部32の下側に配置される。側面部49の各辺におけるフランジ部51の幅方向中央には、ユニット本体21の突出部37が係合または配置される切欠部52が設けられている。
【００２８】
側面部49の各辺の上端には、ユニット本体21の第１の本体側係止部38に係止される第１のカバー側係止部53が一体に突設されている。本実施形態では、ユニット本体21の第１の本体側係止部38（第１の挿通孔34）の位置に対応して、側面部49の各辺の２箇所に設けられているが、第１の本体側係止部38（第１の挿通孔34）と同様に、側面部49の各辺の１箇所、または３箇所以上に設けられていてもよく、また、側面部49の４辺のうちの少なくとも２辺に設けられていればよい。第１のカバー側係止部53は、側面部49から上方に突出される突片部54の先端側から側面部49の内側方向へ向けて突設された爪部55を有している。第１のカバー側係止部53は、ユニット本体21の第１の挿通孔34に挿通され、ユニット本体21の縁部31の上面である第１の本体側係止部38に係止される。爪部55は、先端側（上面側）が傾斜面で、先端側に対して反対側（下面側）が突片部54の内側面に対して略直角となる係止面とされ、この係止面がユニット本体21の縁部31の上面である第１の本体側係止部38に係止される。
【００２９】
側面部49の各辺の外側面には、ユニット本体21の第２の本体側係止部39に係止可能とする第２のカバー側係止部56が一体に設けられている。本実施形態では、ユニット本体21の第２の本体側係止部39（第２の挿通孔36）の位置に対応して、側面部49の各辺の幅方向中央に設けられている。第２のカバー側係止部56は、側面部49の４辺のうち、いずれか一方の対向する２辺に対応して一対設けられていればよく、この場合、一対の第２のカバー側係止部56は、一対の取付機構25の位置に対応した側面部49の一方の対向する２辺に設けられることが好ましい。また、第２のカバー側係止部56は、第１のカバー側係止部53よりも下方に位置されているとともに、側面部49のフランジ部51よりも上側に配置されている。第２のカバー側係止部56は、側面部49の外側面から突設された爪部57を有している。爪部57は、第２の挿通孔36に上下方向に移動可能に配置される。爪部57は、先端側（上面側）が傾斜面で、先端側に対して反対側（下面側）が側面部49の外面に対して略直角となる係止面とされ、この係止面がユニット本体21の第２の挿通孔36の下縁である第２の本体側係止部39に係止可能とする。
【００３０】
そして、カバー23の第１のカバー側係止部53がユニット本体21の第１の本体側係止部38に係止された状態で、カバー23がユニット本体21に取り付けられるとともに、カバー23の第２のカバー側係止部56がユニット本体21の第２の本体側係止部39から上方に所定距離だけ離間されていて非係止状態に保たれる関係にある。また、第２の本体側係止部39および第２のカバー側係止部56の数は、第１の本体側係止部38および第１のカバー側係止部53の数より少ない関係にある。
【００３１】
内カバー47は、例えば樹脂材料によって一体に形成されている。内カバー47は、光透過性を有するとともに、外カバー46よりも光拡散性を有している。例えば、内カバー47は、例えば、乳白に形成され、あるいは光拡散剤が含有され、あるいは拡散表面処理が施されている。内カバー47は、外カバー46の内側に沿って配置されるように、外カバー46の内面形状に対応した相似形に形成されている。
【００３２】
内カバー47は、四角形状の前面部58、およびこの前面部58の周囲に設けられた四角形枠状の側面部59を有している。側面部59の上端部は、ユニット本体21との組立時にユニット本体21の枠部29の溝部33に挿入されるとともにパッキング24に当接される。
【００３３】
また、パッキング24は、例えばシリコーン樹脂やゴム等により、四角形の環状に形成されている。パッキング24は、ユニット本体21の枠部29の溝部33に配置され、ユニット本体21とカバー23との間を密閉して防虫構造とする。
【００３４】
また、一対の取付機構25は、ユニット本体21の一方の対向する２辺の幅方向中央に対応して取り付けられている。取付機構25は、器具本体15のばね受金具17に着脱可能とする取付ばね62、この取付ばね62を回動可能に支持するばね支持部材63、および取付ばね62に対して付勢力を付与するばね押え部材64を備えている。
【００３５】
そして、光源ユニット12を組み立てるには、カバー23の側面部49，59をユニット本体21の枠部29の溝部33に挿入し、カバー23をユニット本体21に組み合わせる。
【００３６】
この際、まず、カバー23の第２のカバー側係止部56が突出部37に接触し、主にカバー23側が内方に弾性変形しながら第２のカバー側係止部56が突出部37を乗り越え、第２のカバー側係止部56が第２の挿通孔36に挿通する。
【００３７】
その後、カバー23の第１のカバー側係止部53が第１の挿通孔34の縁に接触し、主にカバー23側が外方に弾性変形しながら第１のカバー側係止部53が第１の挿通孔34の縁を乗り越え、第１のカバー側係止部53が第１の挿通孔34の縁であって縁部31の上面である第１の本体側係止部38に係止される。さらに、カバー23の側面部49，59がパッキング24に圧着する。このようにして、カバー23がユニット本体21に取り付けられる。
【００３８】
さらに、ユニット本体21の押え部35を第１の挿通孔34内にかしめ、第１のカバー側係止部53が第１の本体側係止部38から外れるのを規制し、光源ユニット12の組み立てが完了する。
【００３９】
そして、光源ユニット12の組立状態では、図１および図２に示すように、カバー23の第１のカバー側係止部53がユニット本体21の第１の本体側係止部38に係止され、カバー23がユニット本体21に取り付けられるとともに、カバー23の第２のカバー側係止部56がユニット本体21の第２の本体側係止部39から上方に所定距離だけ離間されていて非係止状態に保たれている。
【００４０】
すなわち、カバー23をユニット本体21に取り付けている第１のカバー側係止部53にはカバー23の荷重やパッキング24の反発力等によって応力が加わるが、第２のカバー側係止部56には応力が加わらない。
【００４１】
また、照明装置10を設置するには、本体ユニット11を天井側に設置し、本体ユニット11の電源部18と光源ユニット12とを電気的に接続する。
【００４２】
光源ユニット12の一対の取付機構25により、光源ユニット12を本体ユニット11に取り付ける。すなわち、取付機構25の取付ばね62を本体ユニット11のばね受金具17に引っ掛けて光源ユニット12を押し上げることにより、取付ばね62がばね押え部材64に接触して弾性変形しながら回動するとともに、回動する取付ばね62が所定の中立点を越えると光源ユニット12を本体ユニット11に引き上げる方向に付勢力が働き、光源ユニット12が本体ユニット11に取り付けられる。
【００４３】
そして、照明装置10の点灯時には、電源部18から発光モジュール42に点灯電源を供給することにより、発光モジュール42の発光素子が発光し、発光素子の光が内カバー47を拡散通過するとともに外カバー46を通過し、照明空間に照射される。
【００４４】
また、光源ユニット12においては、カバー23をユニット本体21に取り付けている第１のカバー側係止部53は、カバー23の荷重やパッキング24の反発力等によって常に応力が加わっているため、経年変化によって劣化が生じ、係止強度が低下すると、係止が機能しなくなり、さらに、複数の第１のカバー側係止部53で係止が機能しなくなると、カバー23がユニット本体21から下降する。
【００４５】
カバー23がユニット本体21から下降すると、図３に示すように、第２のカバー側係止部56が第２の挿通孔36内を下方に移動して第２の挿通孔36の下縁である第２の本体側係止部39に当接して係止され、これにより、カバー23の下降が規制され、カバー23の脱落が防止される。第２のカバー側係止部56は、これまで応力が加わっていなかったため、経年変化による劣化が無くまたは少なく、係止強度が高いため、カバー23をユニット本体21に確実に係止できる。
【００４６】
カバー23が下降して第２のカバー側係止部56が第２の本体側係止部39に係止された状態では、ユニット本体21の側面部32の内側に隠れていたカバー23の側面部49の上部側が露出し、ユニット本体21の突出部37が配置されていたカバー23のフランジ部51の切欠部52が突出部37から下方に外れる。
【００４７】
ユニット本体21の側面部32から露出するカバー23の側面部49の上部側の露出部49aには、異常を知らせる旨の文字や、照明装置10の色彩に対して明確に異なる例えば赤等の色彩を施し、異常を報知するための報知部として機能させるようにしてもよい。
【００４８】
図６には第１のカバー側係止部53が第１の本体側係止部38に係止されている照明装置10の通常の状態を示し、光源ユニット12の側面には、ユニット本体21の突出部37や、カバー23のフランジ部51および切欠部52等の一部は視認されるが、カバー23の露出部49aは視認されない。
【００４９】
図７にはカバー23が下降して第２のカバー側係止部56が第２の本体側係止部39に係止された状態を示し、カバー23の露出部49aや、カバー23のフランジ部51の切欠部52がユニット本体21の突出部37から下方に外れていることを視認することが可能となる。さらに、一部の第１のカバー側係止部53の係止が機能している場合、第１のカバー側係止部53の係止が機能しなくなったカバー23の片側が下降し、カバー23がユニット本体21に対して傾く。さらに、ユニット本体21とカバー23との間から光漏れが生じるようにしてもよい。
【００５０】
したがって、カバー23の露出部49aが視認されたり、カバー23の傾きが視認されたり、光漏れが視認されることで、カバー23の異常を確認できる。
【００５１】
カバー23の異常が確認された場合には、カバー23の異常の生じた光源ユニット12を、例えば新しい光源ユニット12と交換する。光源ユニット12の交換は、光源ユニット12を引き下げ操作することで、取付ばね62の付勢に抗して光源ユニット12を本体ユニット11から引き下げ、取付ばね62をばね受金具17から外すことにより、光源ユニット12を本体ユニット11から外す。その後、新しい光源ユニット12を上述したように本体ユニット11に取り付ける。
【００５２】
そして、本実施形態の照明装置10では、光源ユニット12のカバー23の第１のカバー側係止部53とユニット本体21の第１の本体側係止部38との係止状態で、カバー23をユニット本体21に取り付けるとともに、カバー23の第２のカバー側係止部56とユニット本体21の第２の本体側係止部39を非係止状態に保つため、応力が加わる第１のカバー側係止部53の係止が機能しなくなったとしても、第２のカバー側係止部56が第２の本体側係止部39に係止されるため、カバー23の脱落を防止することができる。
【００５３】
また、第１のカバー側係止部53の係止が機能しなくなり、カバー23が下降して第２のカバー側係止部56が第２の本体側係止部39に係止されると、ユニット本体21によって隠れていたカバー23の露出部49aが露出したり、カバー23が傾くなどの通常とは異なる状態となることにより、カバー23の異常を確認できる。
【００５４】
しかも、カバー23の露出する露出部49aに文字や色彩等による報知部の機能を付与することにより、カバー23の異常をより確認しやすくできる。
【００５５】
また、第２の本体側係止部39および第２のカバー側係止部56は、取付機構25の位置に対応したユニット本体21およびカバー23の位置に設けられているため、光源ユニット12を本体ユニット11に着脱する際に取付機構25の位置の目印となり、光源ユニット12の着脱操作を容易に行うことができる。
【００５６】
なお、第２の本体側係止部39および第２のカバー側係止部56は、取付機構25の位置に対応した光源ユニット12の一方の対向する２辺のみに設けていてもよい。
【００５７】
また、第２のカバー側係止部56は、第１のカバー側係止部53と同様に、ユニット本体21の縁部31を挿通し、その縁部31の上面である第２の本体側係止部39に係止可能としてもよい。この場合、複数の第１のカバー側係止部53および第１の本体側係止部38のうちの一部を、第２のカバー側係止部56および第２の本体側係止部39に用いてもよい。
【００５８】
また、第１の本体側係止部38および第２の本体側係止部39に爪構造を設け、第１のカバー側係止部53および第２のカバー側係止部56に爪構造が引っ掛かる引掛り構造を設けてもよい。
【００５９】
また、各係止部は、爪による係止構造に限らず、例えば凹部と凸部による係止構造でもよい。
【００６０】
また、各係止部は、ユニット本体21やカバー23に一体に設けた構成に限らず、例えば板ばね等の別の部品を用いて構成してもよい。
【００６１】
また、本体ユニット11および光源ユニット12の外観は、四角形状に限らず、円形でもよい。
【００６２】
また、光源ユニット12のみで照明装置10を構成してもよい。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
10    照明装置
15    設置部材としての器具本体
21    本体としてのユニット本体
22    光源
23    カバー
25    取付機構
38    第１の本体側係止部
39    第２の本体側係止部
50    カバー部
53    第１のカバー側係止部
56    第２のカバー側係止部
【図１】
2020202130.tif 000003
【図２】
2020202130.tif 000004
【図３】
2020202130.tif 000005
【図４】
2020202130.tif 000006
【図５】
2020202130.tif 000007
【図６】
2020202130.tif 000008
【図７】
2020202130.tif 000009